(57)【特許請求の範囲】
【請求項１】
選択ホィールと印字受け台部との間に設けるとともに印字文字および見出し文字を形成した印字用エンドレスバンドを有し、
この印字用エンドレスバンドの任意の前記印字文字を選択可能とした印字器における見出し文字汚れ防止装置であって、
前記選択ホィールに対向する係合爪部、調心バネ部および駆動アーム部を有するとともに前記選択ホィールおよび前記印字受け台部との間に位置するストッパー部材と、
前記係合爪部を前記選択ホィールに係脱可能に回動可能とする爪部回動軸と、
前記印字用エンドレスバンドの内周面に位置するとともに前記ストッパー部材の前記駆動アーム部に係合可能な駆動用突起部と、
を設け、
当該印字用エンドレスバンドの移動にともなうこの駆動アーム部の変位を、前記係合爪部に伝達可能としたことを特徴とする印字器における見出し文字汚れ防止装置。
【請求項２】
前記係合爪部は、前記選択ホィールの回転方向において少なくとも左右一対にこれを設けたことを特徴とする請求項１記載の印字器における見出し文字汚れ防止装置。
【請求項３】
前記調心バネ部は、前記係合爪部と前記駆動アーム部との間にこれを形成したことを特徴とする請求項１記載の印字器における見出し文字汚れ防止装置。
【請求項４】
前記係合爪部および前記駆動アーム部は、これを前記爪部回動軸に支持したことを特徴とする請求項１記載の印字器における見出し文字汚れ防止装置。
【請求項５】
前記駆動用突起部は、前記見出し文字を形成してある前記印字用エンドレスバンドの内周面側にこれを形成したことを特徴とする請求項１記載の印字器における見出し文字汚れ防止装置。
【請求項６】
前記駆動用突起部は、その変形弾性係数を、前記ストッパー部材の前記調心バネ部のそれより大きく設定してあることを特徴とする請求項１記載の印字器における見出し文字汚れ防止装置。
【発明の詳細な説明】
【０００１】
【発明の属する技術分野】
本発明は印字器における見出し文字汚れ防止装置にかかるもので、とくに携帯式のラベル印字貼付装置（ハンドラベラー）などに装着される印字器における見出し文字汚れ防止装置に関するものである。
【０００２】
【従来の技術】
従来のハンドラベラーなどにおいては、印字文字および見出し文字を印字用エンドレスバンドに形成し、これを回転させることにより所望の印字文字を印字可能な状態とし、インキローラーなどによって印字文字にインキを塗布し、ラベルなどに押印するようにしている。
【０００３】
しかしながら、当該印字用エンドレスバンドを任意の回転範囲まで回転可能としておくと、見出し文字までがインキローラーに対向してインキが塗布し、これが汚れてしまうことがある。
【０００４】
こうした見出し文字の汚れ防止装置（インキ塗布回避手段）として、たとえば特公昭６２−３３０８０号による「印字ベルト構造体」においては、印字用エンドレスバンドを回転させるための回転盤に突片を設けるとともに、印字用エンドレスバンドの回転範囲領域の近傍にストッパーを設け、このストッパーに突片が当接することにより回転盤が所定領域のみに回転可能とするようにしている。
しかしながら、この装置においては、突片が見出し文字の邪魔になったり、突片がストッパーに当接したときに過大な力で回転盤を回転させると印字用エンドレスバンドが伸びて印字不良となったり、外れたりするという問題がある。
【０００５】
特開平６−１５５８７８号による「印字装置」においては、印字用エンドレスバンドの外周面側に凸部を形成してストッパーに係止可能としするとともに内周面側に傾斜面を形成し、印字用エンドレスバンドが制限位置に達したときに無理に回転させようとすると、スリップするようにしている。
しかしながら、この装置においては、過大な力で印字用エンドレスバンドを回転させようとしたときのスリップによって、印字用エンドレスバンドの傾斜面の摩耗や亀裂などの損傷が生ずるという問題がある。
また、印字用エンドレスバンドの外周面に凸部を形成してあるので、印字用エンドレスバンドに設けることができる印字文字の数が減ってしまうという問題もある。
【０００６】
実開平６−７１１４６号による「印字器に於ける見出文字の汚れ防止装置」においては、印字用エンドレスバンドの外周面に形成した断面肉厚の印字部がインジケーターの脚部に当接することにより印字用エンドレスバンドの回転範囲を制限している。
しかしながら、この装置においても、過大な力で回転した場合、インジケーターの損傷、および印字用エンドレスバンドの摩耗や亀裂などの損傷の問題がある。さらには、この印字用エンドレスバンドがインジケーターの下にもぐり込み、通過してしまうという問題もある。
【０００７】
特公平４−３４９５１号による「印字装置」においては、印字用エンドレスバンドに形成したノーズと、ストッパー肩との係合により印字用エンドレスバンドの回転を制限している。
しかしながら、この装置においても、過大な力で回転した場合の印字用エンドレスバンドの伸び、あるいは摩耗や亀裂などの損傷の問題がある。
【０００８】
いずれの構造の場合も、見出し文字の汚れを防止するために、印字用エンドレスバンドの回転を所定領域において制限しようとしたときに、印字用エンドレスバンドに直接あるいは間接に外力が大きく作用することを避けることが困難であり、その損傷ないし伸びの問題、さらには突起部材がストッパーを乗り越えてしまって所期の目的を達成することができないなどの問題がある。
【０００９】
【発明が解決しようとする課題】
本発明は以上のような諸問題にかんがみなされたもので、印字用エンドレスバンドにおける見出し文字が、印字受け台部に位置しないように、すなわち、インキローラーに対向しないようにしてその汚れを防止することができる印字器における見出し文字汚れ防止装置を提供することを課題とする。
【００１０】
また本発明は、印字用エンドレスバンドの回転を制限するにあたり、印字用エンドレスバンド自体に過大な回転力が作用しないようにして摩耗や亀裂などの損傷を回避することができるようにした印字器における見出し文字汚れ防止装置を提供することを課題とする。
【００１１】
また本発明は、印字用エンドレスバンドの回転を制限するために突起部材などを形成しても、印字文字の数の減少を最小限にすることができる印字器における見出し文字汚れ防止装置を提供することを課題とする。
【００１２】
また本発明は、印字用エンドレスバンドの回転を確実に制限し、ストッパーを突起部材が乗り越えてしまうようなことがない印字器における見出し文字汚れ防止装置を提供することを課題とする。
【００１３】
【課題を解決するための手段】
すなわち本発明は、印字用エンドレスバンドの制限領域に至ったときにこれを検知ないし初動操作する部位と、実際に回転を阻止する部位とを別の部分とすること、つまり印字用エンドレスバンドを無理に回転させようとしたときに印字用エンドレスバンドに過大な力がかからないようにすることに着目したもので、選択ホィールと印字受け台部との間に設けるとともに印字文字および見出し文字を形成した印字用エンドレスバンドを有し、この印字用エンドレスバンドの任意の上記印字文字を選択可能とした印字器における見出し文字汚れ防止装置であって、上記選択ホィールに対向する係合爪部、調心バネ部および駆動アーム部を有するとともに上記選択ホィールおよび上記印字受け台部との間に位置するストッパー部材と、上記係合爪部を上記選択ホィールに係脱可能に回動可能とする爪部回動軸と、上記印字用エンドレスバンドの内周面に位置するとともに上記ストッパー部材の上記駆動アーム部に係合可能な駆動用突起部と、を設け、当該印字用エンドレスバンドの移動にともなうこの駆動アーム部の変位を、上記係合爪部に伝達可能としたことを特徴とする印字器における見出し文字汚れ防止装置である。
【００１４】
上記係合爪部は、上記選択ホィールの回転方向において少なくとも左右一対にこれを設けることができる。
【００１５】
上記調心バネ部は、上記係合爪部と上記駆動アーム部との間にこれを形成することができる（第１の実施の形態）。
【００１６】
上記係合爪部および上記駆動アーム部は、これを上記爪部回動軸に支持することができる（第２の実施の形態）。
【００１７】
上記駆動用突起部は、上記見出し文字を形成してある上記印字用エンドレスバンドの内周面側にこれを形成することができる。
【００１８】
上記駆動用突起部は、その変形弾性係数を、上記ストッパー部材の上記調心バネ部のそれより大きく設定してあることができる。
【００１９】
本発明による印字器における見出し文字汚れ防止装置においては、選択ホィールを回転して印字用エンドレスバンドをそのまわりに回転移動させることにより印字用エンドレスバンドの印字文字および見出し文字を任意に選択することができるが、見出し文字がインキローラーに当接（接触）する可能性がある印字受け台部分に至る直前で、ストッパー部材の駆動アーム部に印字用エンドレスバンドの駆動用突起部が係合して、回転を一旦停止させるような抵抗感がある。
【００２０】
この抵抗作用をこえてさらに選択ホィールを回転させようとすると、当該駆動アーム部が変位し、この変位が調心バネ部を介してあるいは直接に係合爪部に伝達される。
かくして、係合爪部が変位（回動）することにより選択ホィールに係合して、選択ホィールをこれ以上回転させようとしても、係合爪部の爪部回動軸がこの回転外力を受け、選択ホィールの回転を阻止する。
【００２１】
したがって、見出し文字がインキローラーの回動領域にまで回動されて位置することがなくその汚れを防止することができるとともに、選択ホィールをさらに、回転させようとする過大な力は、印字用エンドレスバンドを介してその駆動用突起部あるいはストッパー部材の駆動アーム部にかかるのではなく、ストッパー部材の係合爪部の爪部回動軸にかかるので、印字用エンドレスバンドを損傷することなく、選択ホィールの停止状態を確実に実現することができる。
【００２２】
さらに、印字用エンドレスバンドの内周面に駆動用突起部を設け、これをストッパー部材の駆動アーム部に係合可能としたので、印字用エンドレスバンドの外周面に印字文字および見出し文字を形成したので、これらの数を減らしてしまうこともない。
【００２３】
【発明の実施の形態】
つぎに本発明の第１の実施の形態による印字器における見出し文字汚れ防止装置を図１ないし図８にもとづき説明する。
図１は、印字器１、および印字器１に装備した見出し文字防止装置２の断面図、図２は、図１のＩＩ−ＩＩ線断面図であって、印字器１は、見出し文字汚れ防止装置２と、印字器フレーム３と、印字選択用の操作軸４と、複数列の選択ホィール５と、印字受け台部６と、複数列の印字用エンドレスバンド７と、を有する。
【００２４】
印字器フレーム３は、その上部に見出し窓部８を、その下部にインキローラー対向開口部９をそれぞれ開口形成してある。
インキローラー対向開口部９において、印字用エンドレスバンド７に接触可能にインキローラーＲが転動する。
【００２５】
操作軸４は、その軸方向にこれを移動させることにより任意の列の印字用エンドレスバンド７を選択し（割り出し）、割り出した列において選択ホィール５を回転させることによりその印字用エンドレスバンド７内の特定の印字文字を選択するもので、インジケーター１０と、ロータリーピン１１と、を取り付けてある。
操作軸４には、その外周面に複数列の割出し用溝４Ａを軸方向に等間隔で形成してあり、割出しピン１２と、割出しピン１２を割出し用溝４Ａ方向に付勢する割出しスプリング１３とにより所定の列に操作軸４およびインジケーター１０をセット（割出し）可能としてある。
【００２６】
インジケーター１０は、操作軸４の軸方向には操作軸４と一体に移動し、回転方向はフリーであって、見出し窓部８内において指針部１０Ａを突出形成してあり、この指針部１０Ａが所望の列を指針するようになっている。
【００２７】
ロータリーピン１１は、操作軸４と一体に移動および回転するもので、印字器フレーム３内に回転可能に設けたスリーブ１４の軸方向スリット１４Ａ（図２を参照）を通して選択ホィール５の内周面に突出し、任意の列における選択ホィール５の内周係合溝５Ａに係合可能となっている。
【００２８】
図３は、スリーブ１４の側面図であって、割出しピン１２が臨む部分の円周面に等角度間隔で節度決定兼用貫通孔１４Ｂを形成してある。
図４は、割出しピン１２およびスリーブ１４の係合状態を側面からみた拡大断面図、図５は、同、軸方向の拡大断面図であって、操作軸４がその軸方向に移動するときには、所定の節度決定兼用貫通孔１４Ｂに割出しピン１２が嵌合したままで割出しピン１２がそれぞれの割出し用溝４Ａ内を移動してゆく。
操作軸４が回転するときには、所定の割出し用溝４Ａに割出しピン１２が嵌合したままで割出しピン１２がそれぞれの節度決定兼用貫通孔１４Ｂ内を移動してゆく。
したがって、スリーブ１４という単一の部品により、操作軸４による列の割出し操作と、選択ホィール５の回転操作と、をそれぞれの節度を確保しながら実現することができる。
【００２９】
選択ホィール５と印字受け台部６との間に、所定の張力をもって印字用エンドレスバンド７を張りわたしてある。
図６は、この印字用エンドレスバンド７の側面図であって、印字用エンドレスバンド７は、その外周面に所定数の印字文字７Ａおよび見出し文字７Ｂをそれぞれの領域に分けて形成してある。
ただし互いの境界領域には、印字ブランク部７Ｃをそれぞれ形成してあり、後述するように、選択ホィール５の回転を停止させて印字用エンドレスバンド７の移動を阻止するときには、それぞれの印字ブランク部７Ｃが見出し窓部８およびインキローラー対向開口部９に臨むことになる。
【００３０】
印字用エンドレスバンド７の内周面において、印字文字７Ａに対応する部分はこれを平坦とし、見出し文字７Ｂに対応する部分には、選択ホィール５の外周係合溝５Ｂにそれぞれ係合可能な低い駆動用突起部７Ｄ、および高い駆動用突起部７Ｅを形成してある。
【００３１】
高い駆動用突起部７Ｅの数としては、印字用エンドレスバンド７の内周面において左右対象であれば、印字文字７Ａおよび見出し文字７Ｂの数などに応じて印字用エンドレスバンド７の内周面の所定領域にわたって任意に設定することができる。
たとえば図６に示したように、高い駆動用突起部７Ｅの数を連続した６個とすることもできるが、この６個に相当する位置のうち両端部のみを高い駆動用突起部７Ｅとし、その間を４個の低い駆動用突起部７Ｄとすることもできる。
【００３２】
低い駆動用突起部７Ｄおよび高い駆動用突起部７Ｅが、選択ホィール５の外周係合溝５Ｂに係合し、選択ホィール５の回転により、任意の印字文字７Ａをインキローラー対向開口部９においてインキローラーＲと接触可能とする。
【００３３】
ただし、見出し文字汚れ防止装置２により見出し文字７ＢがインキローラーＲに接触することはない。
すなわち、とくに図１に示すように、見出し文字汚れ防止装置２は、複数列のストッパー部材１５と、金属製の爪部回動軸１６と、上述のように印字用エンドレスバンド７に形成した高い駆動用突起部７Ｅと、を有する。
【００３４】
ストッパー部材１５は、選択ホィール５および印字受け台部６との間にこれを位置させるとともに、選択ホィール５に対向する係合爪部１５Ａと、調心バネ部１５Ｂと、駆動アーム部１５Ｃと、を一体成形したものである。
【００３５】
爪部回動軸１６は、係合爪部１５Ａの左右一対のロック端部１５Ｄを選択ホィール５の外周係合溝５Ｂに係脱可能に係合爪部１５Ａを回動可能とする。
ただし図１に示すように、通常の選択可能状態では、選択ホィール５の外周面とロック端部１５Ｄとの間には第１の間隙Ｓ１をあけてあり、選択ホィール５の回転を可能としている。
【００３６】
この爪部回動軸１６は、操作軸４の回転応力に耐え得る強度を有する材料、たとえば鉄系材料その他の金属材料などからこれを構成する。
【００３７】
調心バネ部１５Ｂは、係合爪部１５Ａと駆動アーム部１５Ｃとの間に位置して、係合爪部１５Ａおよび駆動アーム部１５Ｃのそれぞれの変位を相互に伝達可能とするとともに、外力が作用しなくなったときに、その弾性力により係合爪部１５Ａおよび駆動アーム部１５Ｃを元位置に復帰させる。
【００３８】
駆動アーム部１５Ｃは、アーム回動軸１７のまわりに回動可能で、印字用エンドレスバンド７の高い駆動用突起部７Ｅのみに係合可能である。
すなわち、駆動アーム部１５Ｃの左右一対の作用端部１５Ｅと印字用エンドレスバンド７の内周面との間には第２の間隙Ｓ２をあけてある。この第２の間隙Ｓ２の部分は印字用エンドレスバンド７の低い駆動用突起部７Ｄのみが通過可能である。
【００３９】
さらに、印字用エンドレスバンド７の高い駆動用突起部７Ｅの変形弾性係数は、ストッパー部材１５の調心バネ部１５Ｂのそれより大きいように設定してある。
【００４０】
なお、駆動アーム部１５Ｃの部分の印字用エンドレスバンド７の外周側には、印字器フレーム３の第１の押さえフレーム部３Ａおよび第２の押さえフレーム部３Ｂを形成してある。
【００４１】
こうした構成の印字器１および見出し文字汚れ防止装置２において、通常の印字選択状態では、図１および図２に示すように、操作軸４をその軸方向に移動させることにより任意の列を割り出し、その列においてこれを正逆任意の方向に回転させれば、選択ホィール５が印字用エンドレスバンド７を回転させ、印字用エンドレスバンド７の所望の見出し文字７Ｂが見出し窓部８から見える位置で停止させる。
【００４２】
この選択状態では、選択した見出し文字７Ｂに対応する印字文字７Ａがインキローラー対向開口部９において印字受け台部６にセットされて露出しており、インキローラーＲの転動によってこの印字文字７Ａにインキを塗布し、印字器１全体をたとえばハンドレバー（図示せず）などの操作によってラベル上に押印することにより印字することができる。
【００４３】
図７は、図中反時計方向に印字用エンドレスバンド７を回転させたときの回転阻止状態を示す断面図、図８は、時計方向に印字用エンドレスバンド７を回転させたときの回転阻止状態を示す断面図であって、まず図７に示す状態では、所定の列において操作軸４を操作して選択ホィール５を回転させ、印字用エンドレスバンド７を反時計方向に回転させようとしても、印字用エンドレスバンド７の高い駆動用突起部７Ｅがストッパー部材１５における駆動アーム部１５Ｃの作用端部１５Ｅ（図中左側）に係合し、駆動アーム部１５Ｃがアーム回動軸１７を支点として反時計方向に回動し、この回動変位が調心バネ部１５Ｂを伝わって係合爪部１５Ａに伝達され、係合爪部１５が爪部回動軸１６のまわりに時計方向に回動し、そのロック端部１５Ｄ（図中左側）が選択ホィール５の外周係合溝５Ｂに係合する。
【００４４】
したがって、これ以上選択ホィール５を回転させようとしても、その回転方向前方に外周係合溝５Ｂと作用端部１５Ｅとの係合部分、および爪部回動軸１６が位置しているので、選択ホィール５の回転は阻止され、印字ブランク部７Ｃが見出し窓部８およびインキローラー対向開口部９に臨むことになり、印字用エンドレスバンド７の見出し文字７Ｂがインキローラー対向開口部９に位置することを回避し、見出し文字７ＢがインキローラーＲにより汚れることを防止することができる。
【００４５】
この防止状態において、高い駆動用突起部７Ｅは駆動アーム部１５Ｃの回動というごくわずかな操作のみに使用され、選択ホィール５の実際の回転阻止は、爪部回動軸１６の部分において行われるので、印字用エンドレスバンド７（高い駆動用突起部７Ｅ）を損傷することがない。
しかも、選択ホィール５を無理に回転させようとする過大な力は、選択ホィール５の外周係合溝５Ｂに係合している印字用エンドレスバンド７の複数個の低い駆動用突起部７Ｄに分散負担されるので、印字用エンドレスバンド７全体としては、特定箇所に集中荷重がかかることはない。
【００４６】
ここで、選択ホィール５を反対側（時計方向）に回転させれば、ロック端部１５Ｄと外周係合溝５Ｂとの係合が解除されるとともに、調心バネ部１５Ｂの弾性力によってストッパー部材１５は図１に示す元位置に復帰する。
【００４７】
図８は、図７の場合とは反対に選択ホィール５を時計方向に回転させた場合であって、印字用エンドレスバンド７を時計方向に回転させようとしても、印字用エンドレスバンド７の高い駆動用突起部７Ｅがストッパー部材１５における駆動アーム部１５Ｃの作用端部１５Ｅ（図中右側）に係合し、駆動アーム部１５Ｃがアーム回動軸１７を支点として時計方向に回動し、この回動変位が調心バネ部１５Ｂを伝わって係合爪部１５Ａに伝達され、係合爪部１５が爪部回動軸１６のまわりに反時計方向に回動し、そのロック端部１５Ｄ（図中右側）が選択ホィール５の外周係合溝５Ｂに係合する。
この状態での作用は図７の場合と同様であるので、詳述は省略する。
【００４８】
つぎに、図９は、上述の見出し文字汚れ防止装置２を二列印字タイプの印字器２０に応用装備した場合の断面図、図１０は、図９のＸ−Ｘ線断面図であり、印字器２０においては、一対の印字器１を並列して設けたものであるが、以下、印字器１と同様の部分については同一の符号を付し、その詳述は省略し、印字器１と異なる構造のみについて説明する。
印字器２０の印字器フレーム２１の第１の押さえフレーム２１Ａおよび第２の押さえフレーム２１Ｂをほぼ左右対象に形成するとともに、その中央部にガイド板２２を設けることにより、印字用エンドレスバンド７の移動を円滑にしている。
【００４９】
また、操作軸４に取り付けるインジケーター２３は、既述のインジケーター１０の見出し文字７Ｂを指針する機能に加えて、共まわり防止機能を有する。
すなわちとくに図１０に示すように、選択ホィール５とストッパー部材１５との間に伸びるインジケーター２３は、割り出された選択ホィール５のみの回転を許容する共まわり防止用切欠き部２３Ａを形成してある。
したがって、割り出した特定の列における選択ホィール５のみを回転可能とし、その左右に隣接する選択ホィール５つまり印字用エンドレスバンド７の回転を阻止するようになっている。
【００５０】
こうした構成の二列印字タイプの印字器２０においても、図１１に示すように、見出し文字汚れ防止装置２が既述のように作用するので、印字用エンドレスバンド７を損傷することなく、見出し文字７ＢのインキローラーＲによる汚れを確実に防止することができる。
すなわち図１１の、左側の印字器１部分において、左側のロック端部１５Ｄが選択ホィール５の外周係合溝５Ｂに係合し、右側の印字器１部分において、右側のロック端部１５Ｄが外周係合溝５Ｂに係合することにより、それぞれ選択ホィール５のそれ以上の回転を阻止している。
【００５１】
図１２は、本発明の第２の実施の形態による見出し文字汚れ防止装置を装備した印字器３０の断面図、図１３は、図１２のＸＩＩＩ−ＸＩＩＩ線断面図であって、この印字器３０における見出し文字汚れ防止装置３１が見出し文字汚れ防止装置２（図１）とは異なる構造は、ストッパー部材１５のかわりにストッパー部材３２を設けてある点である。
【００５２】
すなわち、ストッパー部材３２は、爪部回動軸１６のまわりにこれを回動可能とし、ストッパー部材３２は、係合爪部３２Ａと、調心バネ部３２Ｂと、駆動アーム部３２Ｃと、を一体形成したものである。
ただし、係合爪部３２Ａおよび駆動アーム部３２Ｃを爪部回動軸１６に回動可能としてあるとともに、係合爪部３２Ａのロック端部３２Ｄが選択ホィール５の外周係合溝５Ｂに係合可能で、駆動アーム部３２Ｃの作用端部３２Ｅが印字用エンドレスバンド７の高い駆動用突起部７Ｅに係合可能である。なお、外周係合溝５Ｂは、これを蟻溝状に形成することによってロック端部３２Ｄとの係合をより確実にすることができる。
また、調心バネ部３２Ｂは、その球状端部３２Ｆをガイド部３３にスライド可能に挿入してある。
【００５３】
なお図１４は、前記スリーブ１４（図１）に相当するスリーブ３４の側面図、図１５は、同、断面図、図１６は、軸方向の側面図であって、スリーブ３４はその両端部近傍にそれぞれ径方向スリット３５を形成するとともに、両端面部にはそれぞれ節度用ボス３６を形成してある。
さらに、スリーブ３４には、操作軸４のロータリーピン１１を挿通する軸方向スリット３７を形成してある。
【００５４】
さらに、節度用ボス３６が対向する印字器フレーム３の左右の両面（図中紙面に直角な左右の両面）には、節度用ボス３６が係合する節度用溝部３８を円周状に形成してある。
したがって、操作軸４の操作によるスリーブ３４の回転にともなって節度用ボス３６が節度用溝部３８に係合しながら回転し、印字文字部７Ａを選択するときの節度を確保することができる。
【００５５】
こうした構成の印字器３０および見出し文字汚れ防止装置３１においても、印字器１の見出し文字汚れ防止装置２（図１）の場合と同様に、見出し文字７Ｂの汚れを防止することができる。
すなわち図１７に示すように、所定の列において操作軸４を操作して選択ホィール５を回転させ、印字用エンドレスバンド７を図中反時計方向に回転させようとしても、印字用エンドレスバンド７の高い駆動用突起部７Ｅがストッパー部材３２における駆動アーム部３２Ｃの作用端部３２Ｅ（図中左側）に係合し、駆動アーム部３２Ｃが爪部回動軸１６を支点として反時計方向に回動し、この回動変位がただちに係合爪部３２Ａに伝達され、そのロック端部３２Ｄ（図中右側）が選択ホィール５の外周係合溝５Ｂに係合する。
【００５６】
さらに、図中左側のロック端部３２Ｄが印字用エンドレスバンド７の内周側において低い駆動用突起部７Ｄと高い駆動用突起部７Ｅとの間に当接係合し、印字用エンドレスバンド７のこれ以上の移動を補助的に阻止する。
調心バネ部３２Ｂは、その球状端部３２Ｆがガイド部３３内をわずかに上方に摺動するとともに、若干たわむことにより弾性力を蓄積する状態となる。
【００５７】
したがって、これ以上選択ホィール５を回転させようとしても、外周係合溝５Ｂとロック端部３２Ｄとが係合するとともに爪部回動軸１６が抵抗するので、選択ホィール５の回転を確実に阻止して、印字用エンドレスバンド７の見出し文字７Ｂがインキローラー対向開口部９に位置することを回避し、見出し文字７ＢがインキローラーＲにより汚れることを防止することができる。
【００５８】
この汚れ防止状態において、高い駆動用突起部７Ｅは駆動アーム部３２Ｃおよび係合爪部３２Ａの回動のみに使用され、選択ホィール５の実際の回転阻止は、爪部回動軸１６の部分において行われるので、印字用エンドレスバンド７（高い駆動用突起部７Ｅ）を損傷することなく、見出し文字７Ｂの汚れを防止することができる。
【００５９】
選択ホィール５を反対側（時計方向）に回転させれば、ロック端部３２Ｄと外周係合溝５Ｂとの係合が解除されるとともに、調心バネ部３２Ｂの弾性力によりストッパー部材１５は図１２に示す元位置に復帰する。
【００６０】
図１８は、図１７の場合とは反対に、選択ホィール５を時計方向に回転させた場合の断面図であって、印字用エンドレスバンド７を時計方向にこれ以上回転させようとしても、印字用エンドレスバンド７の高い駆動用突起部７Ｅがストッパー部材３２における駆動アーム部３２Ｃの作用端部３２Ｅ（図中右側）に係合し、駆動アーム部３２Ｃが爪部回動軸１６を支点として時計方向に回動し、係合爪部３２Ａのロック端部３２Ｄ（図中左側）が選択ホィール５の外周係合溝５Ｂに係合する。この状態での作用は図１７の場合と同様であるので、詳述は省略する。尚、上記第２の実施の形態における前記選択ホイール５の外周係合溝５Ｂは断面蟻溝とすれば、係合爪部３２Ａのロック端部３２Ｄとの係合が更に良好となる。
【００６１】
この第２の実施の形態による見出し文字汚れ防止装置３１においては、駆動アーム部３２Ｃが、調心バネ部３２Ｂを介さずに係合爪部３２Ａと一体的に爪部回動軸１６のまわりに回動するので、駆動アーム部３２Ｃの変位とともに係合爪部３２Ａがただちに回動して選択ホィール５に係合するため、印字用エンドレスバンド７の回転阻止を感度よく行うことができる。
【００６２】
【発明の効果】
以上のように本発明によれば、選択ホィールと印字受け台部との間にストッパー部材を配置し、印字用エンドレスバンドに設けた駆動用突起部とストッパー部材との係合による過大な外力を爪部回動軸に肩代わりさせるようにしたので、印字用エンドレスバンドに負担をかけることなく、見出し文字のインキローラーなどによる汚れを確実に防止することができる。
【図面の簡単な説明】
【図１】本発明の第１の実施の形態による印字器における見出し文字汚れ防止装置２を装備した印字器１の断面図である。
【図２】図１のＩＩ−ＩＩ線断面図である。
【図３】同、スリーブ１４の側面図である。
【図４】同、割出しピン１２およびスリーブ１４の係合状態を側面からみた拡大断面図である。
【図５】同、割出しピン１２およびスリーブ１４の係合状態の軸方向の拡大断面図である。
【図６】同、印字用エンドレスバンド７の側面図である。
【図７】同、反時計方向に印字用エンドレスバンド７を回転させたときの回転阻止状態を示す断面図である。
【図８】同、時計方向に印字用エンドレスバンド７を回転させたときの回転阻止状態を示す断面図である。
【図９】同、見出し文字汚れ防止装置２を二列印字タイプの印字器２０に応用装備した場合の断面図である。
【図１０】図９のＸ−Ｘ線断面図である。
【図１１】同、印字用エンドレスバンド７を反時計方向および時計方向に回転させたときの回転阻止状態を示す断面図である。
【図１２】本発明の第２の実施の形態による見出し文字汚れ防止装置３１を装備した印字器３０の断面図である。
【図１３】図１２のＸＩＩＩ−ＸＩＩＩ線断面図である。
【図１４】同、スリーブ１４（図１）に相当するスリーブ３４の側面図である。
【図１５】同、断面図である。
【図１６】同、軸方向の側面図である。
【図１７】同、印字用エンドレスバンド７を反時計方向に回転させたときの回転阻止状態を示す断面図である。
【図１８】同、印字用エンドレスバンド７を時計方向に回転させたときの回転阻止状態を示す断面図である。
【符号の説明】
１  印字器（図１）
２  印字器１における見出し文字汚れ防止装置（第１の実施の形態、図１）
３  印字器フレーム
３Ａ  印字器フレーム３の第１の押さえフレーム
３Ｂ  印字器フレーム３の第２の押さえフレーム
４  印字選択用の操作軸
４Ａ  操作軸４の割出し用溝
５  選択ホィール
５Ａ  選択ホィール５の内周係合溝
５Ｂ  選択ホィール５の外周係合溝
６  印字受け台部
７  印字用エンドレスバンド（図６）
７Ａ  印字用エンドレスバンド７の印字文字
７Ｂ  印字用エンドレスバンド７の見出し文字
７Ｃ  印字用エンドレスバンド７の印字ブランク部
７Ｄ  印字用エンドレスバンド７の低い駆動用突起部
７Ｅ  印字用エンドレスバンド７の高い駆動用突起部
８  見出し窓部
９  インキローラー対向開口部
１０  インジケーター
１０Ａ  インジケーター１０の指針部
１１  ロータリーピン
１２  割出しピン
１３  割出しスプリング
１４  スリーブ
１４Ａ  スリーブ１４の軸方向スリット
１４Ｂ  スリーブ１４の節度決定兼用貫通孔
１５  ストッパー部材
１５Ａ  ストッパー部材１５の係合爪部
１５Ｂ  ストッパー部材１５の調心バネ部
１５Ｃ  ストッパー部材１５の駆動アーム部
１５Ｄ  係合爪部１５Ａの左右一対のロック端部
１５Ｅ  駆動アーム部１５Ｃの左右一対の作用端部
１６  金属製の爪部回動軸
１７  アーム回動軸
２０  二列印字タイプの印字器（図９）
２１  印字フレーム
２１Ａ  印字フレーム２１の第１の押さえフレーム
２１Ｂ  印字フレーム２１の第２の押さえフレーム
２２  ガイド板
２３  インジケーター
２３Ａ  インジケーター２３の共まわり防止用切欠き部
３０  印字器（図１２）
３１  印字器３０における見出し文字汚れ防止装置（第２の実施の形態、図１２）
３２  ストッパー部材
３２Ａ  ストッパー部材３２の係合爪部
３２Ｂ  ストッパー部材３２の調心バネ部
３２Ｃ  ストッパー部材３２の駆動アーム部
３２Ｄ  係合爪部３２Ａのロック端部
３２Ｅ  駆動アーム部３２Ｃの作用端部
３２Ｆ  調心バネ部３２Ｂの球状端部
３３  ガイド部
３４  スリーブ
３５  径方向スリット
３６  節度用ボス
３７  軸方向スリット
３８  節度用溝部
Ｒ  インキローラー
Ｓ１  選択ホィール５の外周面とロック端部１５Ｄとの間の第１の間隙
Ｓ２  作用端部１５Ｅと印字用エンドレスバンド７の内周面との間の第２の間隙
【図１】
0003639058.tif 000002
【図２】
0003639058.tif 000003
【図３】
0003639058.tif 000004
【図４】
0003639058.tif 000005
【図５】
0003639058.tif 000006
【図６】
0003639058.tif 000007
【図７】
0003639058.tif 000008
【図８】
0003639058.tif 000009
【図９】
0003639058.tif 000010
【図１０】
0003639058.tif 000011
【図１１】
0003639058.tif 000012
【図１２】
0003639058.tif 000013
【図１３】
0003639058.tif 000014
【図１４】
0003639058.tif 000015
【図１５】
0003639058.tif 000016
【図１６】
0003639058.tif 000017
【図１７】
0003639058.tif 000018
【図１８】
0003639058.tif 000019